(57)【特許請求の範囲】
【請求項１】
送風基座および前記送風基座の一方に設置されている吸気基座を含むファンヘッド組立体であって、さらに前記送風基座を前記吸気基座に対して回転スイング運動をするように駆動するための回転スイング機構を含み、前記回転スイング機構は前記吸気基座に装着されている回転スイング駆動モータ及び伝動するように前記回転スイング駆動モータと前記送風基座を接続する回転スイング伝動セットを含み、
前記送風基座は第一球面を有し、前記吸気基座は前記第一球面と隙間嵌めにされている第二球面を有し、前記第一球面の球心は前記第二球面の球心と重なり合い、前記第一球面は前記第二球面の外で覆っているか、或いは前記第二球面は前記第一球面の外で覆っており、
前記回転スイング駆動モータは出力シャフトを有し、前記回転スイング伝動セットは前記出力シャフトに装着されているカム、前記カムに外嵌されている接続スリーブ、前記接続スリーブと接続されているリンク及び前記リンクに外嵌されていると共に前記吸気基座と接続されているユニバーサルボール関節構造を含み、前記送風基座は前記リンクと接続される、ファンヘッド組立体。
【請求項２】
前記第一球面と前記第二球面との間には１ｍｍ〜１２ｍｍの隙間がある、請求項１に記載のファンヘッド組立体。
【請求項３】
前記第一球面の球心、前記第二球面の球心及び前記ユニバーサルボール関節構造の球心とは重なり合っている、請求項１に記載のファンヘッド組立体。
【請求項４】
前記カムは偏心カムであり、前記リンクの中心軸と前記出力シャフトの中心軸とは夾角Ａを成し、前記夾角Ａは０°＜Ａ≦３０°の関係を満たす、請求項１に記載のファンヘッド組立体。
【請求項５】
Ａ＝５°±３°である、請求項４に記載のファンヘッド組立体。
【請求項６】
前記ユニバーサルボール関節構造は前記吸気基座と接続されているユニバーサルボールスリーブ、前記リンクに外嵌されて且つ前記ユニバーサルボールスリーブ内に穿設されているユニバーサルボールヘッド及び前記ユニバーサルボールヘッドの一端に外嵌されて且つ前記ユニバーサルボールスリーブと接続されているボールヘッド固定カバーを含む、請求項１に記載のファンヘッド組立体。
【請求項７】
前記リンクは第一リンク本体と外径が前記第一リンク本体の外径より小さい第二リンク本体を含み、前記第一リンク本体の前記第二リンク本体から遠く離れる端部は前記接続スリーブに外嵌されて、前記ユニバーサルボール関節構造は前記第二リンク本体に外嵌されて、前記送風基座は前記第二リンク本体に接続され、且つ／又は、
前記リンクは中空構造である、請求項１に記載のファンヘッド組立体。
【請求項８】
前記吸気基座は吸気網フードと前記吸気網フード内に取り付けられている取付支柱を含み、前記第二球面は前記吸気網フードに設置されて、前記回転スイング駆動モータは前記取付支柱の一端と接続され、前記ユニバーサルボール関節構造は前記取付支柱の他端と接続されている、請求項１に記載のファンヘッド組立体。
【請求項９】
前記吸気網フードは網フード本体、前記網フード本体の一端に取り付けられている中枠及び前記網フード本体内に凸出して設置されているスリーブを含み、前記取付支柱と前記回転スイング駆動モータは何れも前記スリーブ内に収容されて、前記第二球面は前記中枠に設置されている、請求項８に記載のファンヘッド組立体。
【請求項１０】
前記吸気基座は更にプラスチック接続具と振動軽減パッドを含み、前記取付支柱は前記プラスチック接続具を通して前記スリーブに接続され、前記振動軽減パッドは前記取付支柱と前記スリーブの間に設置されている第一振動軽減部、前記取付支柱と前記ユニバーサルボール関節構造の間に設置されている第二振動軽減部及び延びて前記スリーブの内側壁に当接されている第三振動軽減部を含む、請求項９に記載のファンヘッド組立体。
【請求項１１】
前記送風基座は、風フードと前記風フード内に設けられたファンブレードとを備え、前記ファンヘッド組立体はさらに、前記ファンブレードの回転運動を駆動するために前記ファンブレードに接続されている送風駆動モータを含み、前記送風駆動モータは、前記風フードに対して静止している固定子と、前記固定子に回動的に接続されて且つ前記ファンブレードに相対的に静止して接続されている回転子とを含み、前記風フードは前記回転スイング伝動セットに接続されている、請求項１に記載のファンヘッド組立体。
【請求項１２】
前記送風駆動モータは前記風フード内に設置され、且つ前記固定子は前記風フード及び／又は前記回転スイング伝動セットに接続され；或いは、
前記送風駆動モータは前記風フードの外に設置され、前記固定子は前記回転スイング伝動セットに接続されている請求項１１に記載のファンヘッド組立体。
【請求項１３】
前記風フードはメインフードケース、前記メインフードケースの一端に組み立てられた前網と前記メインフードケースの他端に組み立てられた後網を含み、前記後網は前記回転スイング機構に接続されている、請求項１２に記載のファンヘッド組立体。
【請求項１４】
請求項１〜１３のいずれか一項に記載のファンヘッド組立体と、前記ファンヘッド組立体に接続されているベース組立体と、を含む扇風機。
【請求項１５】
前記ベース組立体はベース本体と前記ベース本体に取り付けられて前記ファンヘッド組立体の往復回転を駆動するための首振り機構を含み、前記吸気基座は前記首振り機構に接続されている、請求項１４に記載の扇風機。
【請求項１６】
前記扇風機は据置き扇風機、卓上扇風機、床置き扇風機、或いは壁掛け扇風機である、請求項１４または１５に記載の扇風機。
【発明の詳細な説明】
【技術分野】
【０００１】
本願は家庭用電器の分野に関し、特にファンヘッド組立体及び当該ファンヘッド組立体を有する扇風機に関する。
【背景技術】
【０００２】
先行技術における扇風機の首振り方式は一般的に以下のいくつかの種類がある。一種類が自動左右首振り＋手動上下首振りであり、一種類が自動上下首振り＋手動左右首振りであり、もう一種類が自動左右首振り＋自動上下首振りの複合首振りである。従来の扇風機のこれらの首振り方式は、具体的な応用において、以下の欠点がある。
１）扇風機の送風基座と吸気基座は相対的に固定して動かないので、送風エリアの範囲への制限が大きく、且つ製品の同質化が進み、差別化セールスポイントがなく、製品の販売促進には不利である。
２）何れの首振り方式も単一の平面首振り方式を簡単に組み合わせているので、本当の意味での空間立体首振りは実現されず、製品の同質化が進み、差別化セールスポイントがなく、製品の販売促進には不利であり、それに、単一の平面首振りの運動軌跡は線形往復運動であるため、方向転換位置で立ち止まるような課題が発生しやすい。
３）単平面首振り方式の各セットは何れも、一つのモータが一組の伝動機構を駆動させることで実現する必要がある。例えば、同期モータで四節リンク構造を駆動するか、或いはステップモータ／逆転可能モータで歯車噛み合い機構を駆動する。その構造が比較的複雑で、且つ複合式の立体首振り技術の難易度が高く、生産や製造が困難であり、投入コストが高い。
【発明の概要】
【発明が解決しようとする課題】
【０００３】
本願の一つ目の目的は、従来の首振り式扇風機の送風基座と吸気基座とが相対的に固定して動かないことにより、製品の同質化が進み、差別化セールスポイントがない技術的課題を解決するためのファンヘッド組立体を提供することにある。
【課題を解決するための手段】
【０００４】
上記の目的を達成するために、本願が提供する手段としては、送風基座、前記送風基座の一方に設置されている吸気基座、及び前記送風基座を前記吸気基座に対して回転スイング運動をするように駆動するための回転スイング機構を含み、前記回転スイング機構は前記吸気基座上に装着されている回転スイング駆動モータ及び伝動するように前記回転スイング駆動モータと前記送風基座を接続する回転スイング伝動セットを含むファンヘッド組立体である。
【０００５】
好ましくは、前記送風基座は第一球面を有し、前記吸気基座は前記第一球面と隙間嵌めにされている第二球面を有し、前記第一球面の球心は前記第二球面の球心と重なり合い、前記第一球面は前記第二球面の外で覆っているか、或いは前記第二球面は前記第一球面の外で覆っている。
【０００６】
好ましくは、前記第一球面と前記第二球面との間には１ｍｍ−１２ｍｍの隙間がある。
【０００７】
好ましくは、前記回転スイング駆動モータは出力シャフトを有し、前記回転スイング伝動セットは前記出力シャフト上に装着されているカム、前記カム上に外嵌されている接続スリーブ、前記接続スリーブと接続されているリンク及び前記リンク上に外嵌されていると共に前記吸気基座と接続されているユニバーサルボール関節構造を含み、前記送風基座は前記リンクと接続され、前記第一球面の球心、前記第二球面の球心及び前記ユニバーサルボール関節構造の球心とは重なり合っている。
【０００８】
好ましくは、前記カムは偏心カムであり、前記リンクの中心軸と前記出力シャフトの中心軸とは夾角Ａを成し、前記夾角Ａは０°＜Ａ≦３０°の関係を満たす。
【０００９】
好ましくは、Ａ＝５°±３°である。
【００１０】
好ましくは、前記ユニバーサルボール関節構造は前記吸気基座と接続されているユニバーサルボールスリーブ、前記リンク上に外嵌されて且つ前記ユニバーサルボールスリーブ内に穿設されているユニバーサルボールヘッド及び前記ユニバーサルボールヘッドの一端に外嵌されて且つ前記ユニバーサルボールスリーブと接続されているボールヘッド固定カバーを含む。
【００１１】
好ましくは、前記リンクは第一リンク本体と外径が前記第一リンク本体の外径より小さい第二リンク本体を含み、前記第一リンク本体の前記第二リンク本体から遠く離れる端部は前記接続スリーブ上に外嵌されて、前記ユニバーサルボール関節構造は前記第二リンク本体上に外嵌されて、前記送風基座は前記第二リンク本体に接続され、且つ／又は、
前記リンクは中空構造である。
【００１２】
好ましくは、前記吸気基座は吸気網フードと前記吸気網フード内に取り付けられている取付支柱を含み、前記第二球面は前記吸気網フード上に設置されて、前記回転スイング駆動モータは前記取付支柱の一端と接続され、前記ユニバーサルボール関節構造は前記取付支柱の他端と接続されている。
【００１３】
好ましくは、前記吸気網フードは網フード本体、前記網フード本体の一端に取り付けられている中枠及び前記網フード本体内に凸出して設置されているスリーブを含み、前記取付支柱と前記回転スイング駆動モータは何れも前記スリーブ内に収容されて、前記第二球面は前記中枠上に設置されている。
【００１４】
好ましくは、前記吸気基座は更にプラスチック接続具と振動軽減パッドを含み、前記取付支柱は前記プラスチック接続具を通して前記スリーブに接続され、前記振動軽減パッドは前記取付支柱と前記スリーブの間に設置されている第一振動軽減部、前記取付支柱と前記ユニバーサルボール関節構造の間に設置されている第二振動軽減部及び延びて前記スリーブの内側壁に当接されている第三振動軽減部を含む。
【００１５】
好ましくは、前記送風基座は、風フードと前記風フード内に設けられたファンブレードとを備え、前記ファンヘッド組立体はさらに、前記ファンブレードの回転運動を駆動するために前記ファンブレードに接続されている送風駆動モータを含み、前記第一モータは、前記風フードに対して静止している固定子と、前記固定子に回動的に接続されて且つ前記ファンブレードに相対的に静止して接続されている回転子とを含み、前記風フードは前記回転スイング伝動セットに接続されている。
【００１６】
好ましくは、前記送風駆動モータは前記風フード内に設置され、且つ前記固定子は前記風フード及び／又は前記回転スイング伝動セットに接続され；或いは、
前記送風駆動モータは前記風フードの外に設置され、前記固定子は前記回転スイング伝動セットに接続されている。
【００１７】
好ましくは、前記風フードはメインフードケース、前記メインフードケースの一端に組み立てられた前網と前記メインフードケースの他端に組み立てられた後網を含み、前記後網は前記回転スイング機構に接続されている。
【００１８】
本願の第二の目的は、上記のファンヘッド組立体及び前記ファンヘッド組立体に接続されているベース組立体を含み、前記吸気基座が前記ベース組立体上に取り付けられている扇風機を提供することにある。
【００１９】
好ましくは、前記ベース組立体はベース本体と前記ベース本体上に取り付けられて前記ファンヘッド組立体の往復回転を駆動するための首振り機構を含み、前記吸気基座は前記首振り機構に接続されている。
【００２０】
好ましくは、上記扇風機は据置き扇風機、卓上扇風機、床置き扇風機、或いは壁掛け扇風機である。
【００２１】
本願が提供するファンヘッド組立体及び扇風機によれば、ファンヘッド組立体に一つの回転スイング機構を増設して送風基座の回転スイング運動を駆動する。且つ具体的に、吸気基座上に回転スイング駆動モータを取り付けて動力を提供して、回転スイング伝動セットを通して伝送するように駆動モータと送風基座を接続する。こうして、回転スイング駆動モータの起動後に、回転スイング伝動セットは回転スイング駆動モータが出力する動力を回転スイング運動に転換して送風基座を一緒に回転スイング運動させる。これにより送風基座は吸気基座に対して回転スイング運動でき、従来の扇風機において送風基座と吸気基座が互いに固定されて動かない通常な設計構想を打ち破った。しかも、送風基座は吸気基座に対して立体的な回転スイング運動を行うために、製品の運転時に、ハイテク感が溢れて、従来の扇風機製品の同質化が進み、差別化セールスポイントがないという課題をうまく解決でき、製品の販売促進に有利である。それに、送風基座が回転スイング機構による駆動の下で行うのは回転とスイングを組み合わせた立体的な回転スイング運動であるため、即ち、送風基座は同一の動力機構による駆動の下で二種類の首振り方式の組み合わせを実現でき、さらには送風基座に空間立体首振りの機能を実現させるため、送風エリアを有効に広めて、且つ風向きの回転的送り出しを実現でき、送り出される風の感覚はより和やかで自然になる。さらに、送風基座の回転スイング運動軌跡は立体的で連続した周方向閉鎖軌跡であるために、従来の扇風機のように単一の平面内における線形往復運動時に方向転換位置で立ち止まるような課題が発生することはなく、それの従来の通常の上下左右自動首振り扇風機に対してコストがより低く、運動の信頼性はより高い。
【００２２】
本願実施例及び従来技術の技術的手段をより明確に説明するため、以下では、実施例或いは従来技術の説明に必要とされる添付図面を簡単に紹介する。下記説明における添付図面は本願の一部の実施例に過ぎないことは明らかであって、当業者にとって、創造的な労働を行わないことを前提に、これらの添付図面が示す構造により他の添付図面を得ることができる。
【図面の簡単な説明】
【００２３】
【図１】本願の実施例が提供するファンヘッド組立体の組立断面模式図である。
【図２】本願の実施例が提供する回転スイング伝動セットの立体分解模式図である。
【図３】本願の実施例が提供する送風基座、送風駆動モータと接続支柱の立体分解模式図である。
【図４】本願の実施例が提供するファンヘッド組立体の構造概略図である。
【図５】本願の実施例が提供するファンヘッド組立体の回転スイング運動原理の概略図である。
【図６】本願の実施例が提供する扇風機の組立断面模式図である。添付図面を参照して、実施例と組み合わせて本願目的の実現、機能特徴及び長所をさらに説明する。
【発明を実施するための形態】
【００２４】
以下では、本願実施例における添付図面と組み合わせ、本願実施例における技術的手段を明確且つ完全に説明する。説明される実施例は本願の全ての実施例ではなく、本願の一部の実施例に過ぎないことは明らかである。本願における実施例に基づいて、当業者が創造的な労働を行わないことを前提に得られた全ての他の実施例は、本願の保護範囲に属する。
【００２５】
本願実施例での全ての方向性指示（例えば上、下、左、右、前、後．．．．．．）は、当該方向性指示がある特定の姿勢（添付図面に示す）における各部品間の相対的位置関係、移動状況等を説明するためだけに用いられるものであり、もし当該特定の姿勢が変わる場合、当該方向性指示もそれ相当に変わることは、説明しておく必要がある。
【００２６】
素子がもう一つの素子の上に「固定されている」或いは「設置されている」と説明されている場合、それが直接当該もう一つの素子の上に位置するか、或いは介在する素子が同時に存在することが可能となることは、説明しておく必要がある。一つの素子がもう一つの素子に「接続されている」と説明されている場合、それが当該もう一つの素子に直接接続されているか、或いは介在する素子が同時に存在することが可能となる。
【００２７】
また、本願実施例において「第一」、「第二」等に係る説明は説明のために用いられるだけであって、その相対的重要性を提示又は暗示する、或いは提示される技術的特徴の数を暗示的に指定するように理解すべきではない。これにより、「第一」、「第二」に限定されている特徴は明示的或いは暗示的に少なくとも一つの当該特徴を含んでもよい。また、各実施例の技術的手段はお互いに組み合わせることができる。ただし、当業者が実現できることはその基礎である。技術的手段の組み合わせに矛盾が生じるか、実現できない場合には、このような技術的手段の組み合わせが存在しない、且つ本願が請求する保護範囲にないと理解すべきである。
【００２８】
図１−６に示すように、本願の実施例が提供するファンヘッド組立体１００は送風基座１、送風基座１の一方に設置されている吸気基座２と送風基座１を吸気基座２に対して回転スイング運動をするように駆動するための回転スイング機構３を含み、回転スイング機構３は吸気基座２上に装着されている回転スイング駆動モータ３１と伝動するように回転スイング駆動モータ３１と送風基座１を接続する回転スイング伝動セット３２を含む。
【００２９】
具体的に、送風基座１はファンヘッド組立体１００の送風側であり、吸気基座２はファンヘッド組立体１００の吸気側である。具体的な応用において、ファンの運転時、外部の空気は吸気基座２からファンヘッド組立体１００内に入り、送風基座１からファンヘッド組立体１００の外に排出される。回転スイング駆動モータ３１は回転スイング機構３の動力出力部品であり、回転スイング伝動セット３２は回転スイング駆動モータ３１から出力される動力を回転スイング運動に転換して送風基座１に伝達することで、送風基座１を回転スイング運動生じるように駆動する目的を実現するためのものである。回転スイング運動は一種の空間立体運動であり、具体的に回転とスイングの複合運動であり、その運動軌跡は立体的で連続した周方向閉鎖軌跡である。本願の実施例が提供するファンヘッド組立体１００によれば、回転スイング機構３の駆動により、送風基座１は吸気基座２に対して回転スイング運動を行える。これにより従来の扇風機において送風基座１と吸気基座２が互いに固定されて動かない通常な設計構想を打ち破った。しかも、送風基座１は吸気基座２に対して立体的な回転スイング運動を行うために、製品の運転時に、ハイテク感が溢れて、従来の扇風機製品の同質化が進み、差別化セールスポイントがないという課題をうまく解決でき、製品の販売促進に有利である。それに、送風基座１が回転スイング機構３による駆動の下で行うのは回転とスイングを組み合わせた立体的な回転スイング運動であるため、即ち、送風基座１は同一の動力機構による駆動の下で二種類の首振り方式の組み合わせを実現でき、さらには送風基座１に空間立体首振りの機能を実現させるため、送風エリアを有効に広めて、且つ風向きの回転的送り出しを実現でき、送り出される風の感覚はより和やかで自然になる。そして、送風基座１の回転スイング運動軌跡は立体的で連続した周方向閉鎖軌跡であるために、扇風機の単一の平面内における線形往復運動時に方向転換位置で立ち止まるような課題が発生することはなく、製品の運動をより信頼性のあるものにする。
【００３０】
好ましくは、図１、図４と図６に示すように、送風基座１は第一球面１１０を有し、吸気基座２は第一球面１１０と隙間嵌めにされている第二球面を有し、第一球面１１０の球心は第二球面２１０の球心と重なり合い、第二球面２１０は第一球面１１０の外で覆っている。ここで、第二球面２１０が第一球面１１０の外で覆っていることにより、送風基座１と吸気基座２を良好に繋ぎ合わせることができる。これにより、一方では、ホコリや異物の回転スイング機構３内への侵入を防止するのにゆりであり、一方では、製品の外観美観の向上に有利であり、さらには、第一球面１１０と第二球面２１０とは同心に設置され、且つ第一球面１１０と第二球面２１０とは隙間嵌めにされているので、吸気基座２が送風基座１の立体回転スイング運動に干渉する現象はなく、製品運転の信頼性を十分に保証できると共に、送風基座１の運転時に、第二球面２１０が常に第一球面１１０の外で覆っているのを保証できるため、製品の運転が安全テストの要求を満たすのを保証しやすくする。勿論、代替の手段として、第一球面１１０を第二球面２１０の外で覆うように設置することも可能である。これにより、防塵、異物侵入防止、製品の外観の美観と製品の運転の信頼性を保証する有益な効果を実現できる。
【００３１】
好ましくは、図１、図４と図６に示すように、第一球面１１０と第二球面２１０との間には１ｍｍ〜１２ｍｍの隙間Ｌがある。具体的に、第一球面１１０と第二球面２１０との間Ｌを小さくしすぎると、送風基座１の回転スイング運動過程において吸気基座２との摩擦現象を起こしやすくなり、送風基座１の回転スイングの円滑さを影響してしまう。一方、第一球面１１０と第二球面２１０との間の隙間Ｌを大きくしすぎると、製品の美観を影響するだけでなく、製品の防塵、異物侵入防止効果にも不利になる。ここで、第一球面１１０と第二球面２１０との間の隙間Ｌを１ｍｍ〜１２ｍｍに設置することで、送風基座１の回転スイングの円滑さに有利なだけでなく、製品の美観と防塵、異物侵入防止効果の保証にも有利であり、その総合的な性能が良く、大部分の応用場面の需要を満足できる。本実施例の一比較的好ましい実施手段として、第一球面１１０と第二球面２１０との間の隙間Ｌは１ｍｍ〜５ｍｍとする。
【００３２】
好ましくは、図１、図２、図４と図６を参照し、回転スイング駆動モータ３１は出力シャフト３１１を有し、回転スイング伝動セット３２は出力シャフト３１１上に装着されているカム３２１、カム３２１上に外嵌されている接続スリーブ３２２、接続スリーブ３２２と接続されているリンク３２３及びリンク３２３上に外嵌されていると共に吸気基座２と接続されているユニバーサルボール関節構造３２４を含み、送風基座１はリンク３２３と接続され、第一球面１１０の球心、第二球面２１０の球心及びユニバーサルボール関節構造３２４の球心３２４０とは重なり合っている。カム３２１は主に出力シャフト３１１により出力される回転動力を回転スイング運動に転換するためのものであり、接続スリーブ３２２は主にカム３２１とリンク３２３との接続するためのものであり、リンク３２３は主にカム３２１上の回転スイング運動を送風基座１上に伝達して、送風基座１の吸気基座２に対する立体首振り効果を実現するためのものであり、ユニバーサルボール関節構造３２４は主にリンク３２３の回転スイング運動に支持点を提供して、リンク３２３、送風基座１の回転スイング運動の安定性を十分に保証するためのものである。それに、本実施手段では、第一球面１１０、第二球面２１０とユニバーサルボール関節構造３２４を同心に設置することで、回転スイング機構３により送風基座１の回転スイング運動を駆動する場合に第二球面２１０が常に第一球面１１０の外で覆い、且つ第二球面２１０と第一球面１１０との間の隙間Ｌを常に一致しするように保証し、吸気基座２の送風基座１の立体回転スイング運動への干渉現象がないように保証しやすくして、製品運転の信頼性と安全性を十分に保証する。
【００３３】
好ましくは、カム３２１は偏心カムである。リンク３２３と送風基座１はカム３２１の駆動において回転スイング駆動モータ３１の出力シャフト３１１に対して立体円錐運動を行えて、これにより送風基座１が立体首振りの効果を実現できるようにする。具体的に、本実施例が提供するファンヘッド組立体１００によれば、回転スイング駆動モータ３１の駆動の下で、回転スイング伝動セット３２は回転スイング駆動モータ３１の出力シャフト３１１周りに立体円錐運動を行うことが可能である。送風基座１が回転スイング伝動セット３２と接続されているので、送風基座１は回転スイング伝動セット３２と共に立体円錐運動を行って、ファンヘッド本体を固定基座に対して外向きの円錐運転を行わせる。このような簡単な３Ｄ運動を通して、扇風機全体の送風範囲を拡大して、小さいサイズの扇風機で大きいサイズの扇風機の送風効果を実現できる。勿論、代替の手段として、カム３２１は他の形状を採用することも可能である。例えば、カム３２１は楕円形カム或いは他の不規則な形のカムに設計されて、具体的な応用において、カム３２１の形状設計により、送風基座１の異なる軌跡の立体首振り効果を実現できる。
【００３４】
具体的に、図１、図４、図５と図６に示すように、リンク３２３の中心軸３２３０と出力シャフト３１１の中心軸３１１０とは夾角Ａを成し、夾角Ａは好ましくは０°＜Ａ≦３０°の関係を満たす。夾角Ａは即ち回転スイング機構３が動力を出力する回転スイング角度である。夾角Ａを大きく設計するほど、送風基座１の回転スイングの範囲は大きく、送風範囲も大きいが、カム３２１とリンク３２３のサイズも大きくなる。ここで、夾角Ａを０°〜３０°の間と設計することで、多くの送風する場面における需要を満たすことが可能となり、且つ、カム３２１とリンク３２３のサイズが大きすぎることもないので、製品の小型化設計に有利であると共に、製品を比較的設計、製造、実現しやすくする。
【００３５】
本実施例の比較的好ましい一実施手段として、Ａ＝５°±３°である。ここで、夾角Ａを５°前後に設計することで、カム３２１とリンク３２３のサイズは何れもちょうどよくなり、且つ製品を比較的設計、製造、実現しやすくする。
【００３６】
好ましくは、図１、図２と図６に示すように、ユニバーサルボール関節構造３２４は吸気基座２と接続されているユニバーサルボールスリーブ３２４１、リンク３２３上に外嵌されて且つユニバーサルボールスリーブ３２４１内に穿設されているユニバーサルボールヘッド３２４２及びユニバーサルボールヘッド３２４２の一端に外嵌されて且つユニバーサルボールスリーブ３２４１と接続されているボールヘッド固定カバー３２４３を含む。ユニバーサルボールヘッド３２４２の回転球心は即ちユニバーサルボール関節構造３２４の球心３２４０である。ユニバーサルボールヘッド３２４２はリンク３２３と密に嵌合されて且つリンク３２３と共に運動できる。即ち、ユニバーサルボールヘッド３２４２はリンク３２３とは相対的に静止している。ユニバーサルボールスリーブ３２４１はユニバーサルボールヘッド３２４２を支持するためのものであり、それがユニバーサルボールヘッド３２４２の径方向位置を制限すると共に、ユニバーサルボールヘッド３２４２の一端の軸方向位置を制限できる。ボールヘッド固定カバー３２４３は主にユニバーサルボールヘッド３２４２の他端の軸方向位置を制限するためのものである。
【００３７】
具体的に、ユニバーサルボールスリーブ３２４１内には球面円弧形内壁が設置されて、ユニバーサルボールヘッド３２４２の外側部には幾つかの間隔を置いて分布されている凸ブロックが凸出して設置されており、各凸ブロックはそれぞれユニバーサルボールスリーブ３２４１の球面円弧形内壁に当接されている。ここで、ユニバーサルボールヘッド３２４２はいくつかの凸ブロックを通してユニバーサルボールスリーブ３２４１との接触嵌合を実現して、ユニバーサルボールヘッド３２４２がリンク３２３と共に運動する時に受ける抵抗力の軽減に有利である。
【００３８】
好ましくは、図１、図２と図６に示すように、リンク３２３は第一リンク本体３２３１と外径が第一リンク本体３２３１の外径より小さい第二リンク本体３２３２を含み、第一リンク本体３２３１の第二リンク本体３２３２から遠く離れる端部は接続スリーブ３２２上に外嵌されて、ユニバーサルボール関節構造３２４は第二リンク本体３２３２上に外嵌されて、送風基座１は第二リンク本体３２３２に接続されている。ユニバーサルボールヘッド３２４２は第二リンク本体３２３２上に密に外嵌されている。ここで、第二リンク本体３２３２の外径を第一リンク本体３２３１の外径より小さく設計することで、一方では回転スイング駆動モータ３１の負荷の軽減に有利で、一方ではファンヘッド組立体１００の小型化設計に有利である。
【００３９】
好ましくは、リンク３２３は中空構造である。即ち、リンク３２３２はその軸方向に沿って貫通するように設置されている中空内穴を有する。ここで、第一リンク本体３２３１と第二リンク本体３２３２と共に中空構造に設置することで、リンク３２３の重量軽減に有利であり、したがって回転スイング駆動モータ３１の負荷の軽減に有利である。
【００４０】
好ましくは、図１、図２、図４と図６に示すように、吸気基座２は吸気網フード２１と吸気網フード２１内に取り付けられている取付支柱２２を含み、第二球面２１０は吸気網フード２１上に設置されて、回転スイング駆動モータ３１は取付支柱２２の一端と接続され、ユニバーサルボール関節構造３２４は取付支柱２２の他端と接続されている。ここで、回転スイング駆動モータ３１とユニバーサルボール関節構造３２４は何れも取付支柱２２を通して吸気網フード２１上に取り付けられている。こうして、取付支柱２２を柔軟に設計して異なる回転スイング駆動モータ３１、ユニバーサルボール関節構造３２４と吸気網フード２１との組立要求を満たしやすく、したがって回転スイング駆動モータ３１、ユニバーサルボール関節構造３２４と吸気網フード２１の取付構造の簡素化に有利になる。
【００４１】
好ましくは、取付支柱２２は回転スイング駆動モータ３１と接続されている第一支持アーム、第一支持アームと間隔を置いて対面するように設置されている第二支持アーム、及び両端がそれぞれ第一支持アームの一端と第二支持アームの一端に接続されている接続アームを含み、ユニバーサルボール関節構造３２４と固定基座は何れも第二支持アームと接続され、リンクと接続スリーブ３２２とが接続されている箇所、カム３２１及び接続スリーブ３２２は何れも第一支持アームと第二支持アームの間に位置し、即ち、第二リンク本体３２３２、カム３２１及び接続スリーブ３２２は何れも第一支持アームと第二支持アームの間に位置し、こうして、製品の構造のコンパクト性の向上に有利であり、したがって製品の小型化設計に有利である。
【００４２】
好ましくは、第一支持アームと第二支持アームとは間隔を置いて平行に設置されて、接続アームは第一支持アームと第二支持アームの間に垂直に接続されている。
【００４３】
好ましくは、図１、図２、図４と図６に示すように、吸気網フード２１は網フード本体２１１、網フード本体２１１の一端に取り付けられている中枠２１２及び網フード本体２１１内に凸出して設置されているスリーブ２１３を含み、取付支柱２２と回転スイング駆動モータ３１は何れもスリーブ２１３内に収容されて、第二球面２１０は中枠２１２上に設置されている。スリーブ２１３の設置は部品の多くが外に露出するのを防止するためのものであり、製品の外観美観の向上に有利である。網フード本体２１１上に空気の流動のためにグリッド構造を設置するので、グリッド構造を設置する必要のないな乾く２１２を増設して、そして中枠２１１２上に第二球面２１０を成型することで、第二球面２１０の加工難易度が小さく、加工コストも低く抑えられる。無論、具体的な応用においては、製造成型の条件において、第二球面２１０を網フード本体２１１上に設置することも可能である。
【００４４】
好ましくは、スリーブ２１３は網フード本体２１１とは一体成型されている。こうして、製品の寸法精度の保証に有利なだけでなく、スリーブ２１３と網フード本体２１１の組立工程を省くことも可能となる。
【００４５】
好ましくは、図１と図６に示すように、吸気基座２はさらにプラスチック接続具２３を含み、取付支柱２２はプラスチック接続具２３を通してスリーブ３２２に接続されている。ここで、プラスチック接続具２３を用いて取付支柱２２とスリーブ２１３を接続することで、取付支柱２２とスリーブ２１３との直接な剛性接続を防止しやすく、したがって取付支柱２２からスリーブ２１３に伝達される振動の軽減に有利になる。
【００４６】
好ましくは、図１と図６に示すように、吸気基座２は更に振動軽減パッド２４を含み、振動軽減パッド２４はプラスチック接続具２３と取付支柱２２の間に設置されている第一振動軽減部、取付支柱２２とユニバーサルボール関節構造３２４の間に設置されている第二振動軽減部及び延びてスリーブ２１３の内側壁に当接されている第三振動軽減部を含む。第一振動軽減部は主に取付支柱２２とプラスチック接続具２３との間の振動伝達を軽減するためのものであり、第二振動軽減部は主に取付支柱２２とユニバーサルボール関節構造３２４との間の振動伝達を軽減するためのものであり、第三振動軽減部は主にスリーブ２１３と取付支柱２２、プラスチック接続具２３との間の振動伝達を軽減するためのものである。ここでは、振動軽減パッド２４の設計によれば、回転スイング機構３から後網１１３基座上に伝わる振動の減少に有利であるために、製品運転の平穏性の向上に有利になる。
【００４７】
好ましくは、図１、図３、図４及び図６に示すように、送風基座１は、風フード１１と、風フード１１内に設けられたファンブレード１２とを備え、ファンヘッド組立体１００はさらに、ファンブレード１２の回転運動を駆動するためにファンブレード１２に接続されている送風駆動モータ４を含み、第一モータは、風フード１１に対して静止している固定子４１と、固定子４１に回動的に接続されて且つファンブレード１２に相対的に静止して接続されている回転子４２とを含み、風フード１１は回転スイング伝動セット３２に接続されている。風フード１１は具体的に、回転スイング伝動セット３２のリンク３２３と接続されている。固定子４１と風フード１１とが相対的に静止しているとは、扇風機の運転時に、固定子４１と風フード１１との間に相対的運動が生じないことを意味する。回転子４２とファンブレード１２とが相対的に静止しているとは、扇風機の運転時に、回転子４２とファンブレード１２との間に相対的運動が生じないことを意味する。固定子４１と風フード１１との相対的な静止を実現するために、具体的な応用では、以下の二種類の設置方式の内の一つを採用できる。第一種類の設置方式は、固定子４１を風フード１１に組み立てて取り付ける。第二種類は、固定子４１と風フード１１との間に組立接続関係がなく、固定子４１と風フード１１とがそれぞれ回転スイング伝動セット３２に接続され、これにより、固定子４１は    回転スイング伝動セット３２を介して風フード１１と間接的な接続を実現できる。本実施例では、風フード１１と固定子４１とが相対的に静止している関係にあり、回転子４２が固定子４１とは互いに接続されており、回転子４２はファンブレード１２とは互いに接続されているため、回転スイング機構３は同時に風フード１１、ファンブレード１２、送風駆動モータ４を回転スイング運動するように駆動できる。これにより風フード１１とファンブレード１２は回転スイング機構３の駆動の下で一緒に立体回転スイング運動を行うことが可能となり、製品の運転時にハイテク感が溢れて、従来の扇風機製品の同質化が進み、差別化セールスポイントがない課題をうまく解決でき、製品の販売促進に有利である。風フード１１がファンブレード１２と一緒に回転スイング運動することで、扇風機の送風エリアの範囲を有効に拡大して、且つ風向きの回転的送り出しを実現して、扇風機による風感をより和やかで自然にする。
【００４８】
好ましくは、図１、図３、図４と図６に示すように、送風駆動モータ４は風フード１１内に取り付けられて、固定子４１は風フード１１に接続されている。当該手段において、風フード１１と回転スイング機構３の間に直接接続関係が存在しており、固定子４１と回転スイング機構３の間には直接接続関係が存在しない。固定子４１が風フード１１に接続されているため、固定子４１と風フード１１とが相対的に静止する設計要求だけではなく、固定子４１と風フード１１とが回転スイング機構３による駆動の下で共に回転スイング運動する設計要求を満たしている。勿論、具体的な応用において、送風駆動モータ４の取付方法はそれに限定されない。例えば、送風駆動モータ４が風フード１１内に取り付けられている場合、固定子４１を同時に風フード１１と回転スイング伝動セット３２に接続されるように設計でき、或いは、固定子４１を風フード１１とは接続されずに直接回転スイング伝動セット３２と接続されるように設計できる。また、送風駆動モータ４を風フード１１の外に取り付けられて、且つ固定子４１が回転スイング伝動セット３２に接続されるように設計できる。これらの代替の手段は何れも同時に、固定子４１と風フード１１とが相対的に静止する設計要求及び固定子４１と風フード１１が共に回転スイング機構３による駆動の下で一緒に回転スイング運動できる設計要求を満たせる。
【００４９】
好ましくは、図１、図３と図６に示すように、固定子４１は一つの接続支柱１１を通して風フード１１に接続されている。こうして、接続支柱の柔軟な設計を通して異なる送風駆動モータ４と風フード１１との組立需要を満たして、送風駆動モータ４と風フード１１の取付構造の簡素化に有利になる。勿論、代替の手段として、接続支柱５を設計することなく、固定子４１を直接風フード１１に接続されるように設計してもよい。
【００５０】
好ましくは、図１と図３〜６に示すように、風フード１１はメインフードケース１１１、メインフードケース１１の一端に組み立てられた前網１１２とメインフードケース１１１の他端に組み立てられた後網１１３を含み、後網１１３は回転スイング伝動セット３２に接続されている。後網１１３は具体的に、回転スイング伝動セット３２のリンク３２３と接続されている。ファンブレード１２と送風駆動モータ４は、メインフードケース１１１、前網１１２と後網１１３とが囲むことにより形成されたチャンバー内に収容されている。前網１１２は送風基座１の送風側であり、後網１１３は送風基座１の吸気側である。前網１１２と後網１１３は何れもメインフードケース１１１と接続されているため、回転スイング伝動セット３２がメインフードケース１１１を回転スイング運動させると、前網１１２と後網１１３もそれと共に回転スイング運動を行う。
【００５１】
本実施例では、固定子４１は接続支柱５を通して後網１１３に接続されている。勿論、具体的な応用において、固定子４１は後網１１３に直接接続されてもよい。
【００５２】
好ましくは、第一球面１１０はメインフードケース１１１上に設けられている。前網１１２と後網１１３上には空気流通を容易にするグリッド構造を設計する必要があって、メインフードケース１１１上にはグリッド構造を設計する必要がないので、その構造が比較的簡単である。このため、メインフードケース１１１上に第一球面１１０を製造や成型することは加工の難易度が小さく、加工のコストが低いという利点がある。無論、具体的な応用において、第一球面１１０がメインフードケース１１１上に設置される設計方式に限らず、例えば、第一球面１１０をメインフードケース１１１上に設置してもよい。
【００５３】
さらに、図６に示すように、本実施例ではさらに扇風機を提供する。当該扇風機は上記のファンヘッド組立体１００及びファンヘッド組立体１００に接続されているベース組立体２００を含み、吸気基座２はベース組立体２００上に取り付けられている。ベース組立体２００は、主に、ファンヘッド組立体１００を支持して、扇風機の応用場面における配置を実現するためのものである。本実施例が提供する扇風機によれば、上記のファンヘッド組立体１００を採用するので、扇風機の送風エリアの範囲を拡大し、且つ風向きの回転的送り出しを実現して、扇風機による風感をより和やかで自然にする。一方、製品コストの削減と製品の運動信頼性の向上に有利である。また、扇風機の運転時にハイテク感が溢れて、製品の差別化セールスポイントを増やし、製品の販売促進に有利である。
【００５４】
好ましくは、図６に示すように、ベース組立体２００はベース本体２０１とベース本体２０１上に取り付けられてファンヘッド組立体１００の往復回転を駆動するための首振り機構２０２を含み、吸気基座２は首振り機構２０２に接続されている。首振り機構２０２は具体的に、首振りモータとクランクロッカー機構を含む。首振り機構２０２の設置により、ファンヘッド組立体１００の平面首振り運動を可能にして、製品の送風エリアの範囲拡大に有利になる。
【００５５】
好ましくは、本実施例では、扇風機は卓上扇風機或いは据置き扇風機である。勿論、具体的な応用において、本実施例が提供する扇風機は床置き扇風機或いは壁掛け扇風機とすることも可能である。即ち、本実施例のファンヘッド組立体１００は据置き扇風機、卓上扇風機、床置き扇風機、壁掛け扇風機に適用できる。且つ、据置き扇風機、卓上扇風機、床置き扇風機、壁掛け扇風機が本実施例のファンヘッド組立体１００を採用することで、何れも送風エリアの範囲を拡大して、扇風機による風感をより和やかで自然にし、製品の運動の信頼性と製品運転時のハイテク感を向上させ、製品の差別化セールスポイントを増やす有益な効果を達成できる。
【００５６】
以上に述べたことは本願の好ましい実施例にすぎず、それによって本願の特許の範囲を制限するわけではない。本願の出願構想の下で、本願の明細書及び添付図面の内容を利用してなされた等価構造変換、或いは他の関連する技術分野への直接／間接的な応用は、何れも本願の特許の保護範囲に含まれる。
【符号の説明】
【００５７】
１００  ファンヘッド組立体
１  送風基座
１１  風フード
１１０  第一球面
１１１  メインフードケース
１１２  前網
１１３  後網
１２  ファンブレード
２  吸気基座
２１  吸気網フード
２１０  第二球面
２１１  網フード本体
２１２  中枠
２１３  スリーブ
２２  取付支柱
２３  プラスチック接続具
２４  振動軽減パッド
３  回転スイング機構
３１  回転スイング駆動モータ
３１１  出力シャフト
３１１０  出力シャフトの中心軸
３２  回転スイング伝動セット
３２１  カム
３２２  接続スリーブ
３２３  リンク
３２３０  リンクの中心軸
３２３１  第一リンク本体
３２３２  第二リンク本体
３２４  ユニバーサルボール関節構造
３２４０  ユニバーサルボール関節構造の球心
３２４１  ユニバーサルボールスリーブ
３２４２  ユニバーサルボールヘッド
３２４３  ボールヘッド固定カバー
４  送風駆動モータ
４１  固定子
４２  回転子
５  接続支柱
２００  ベース組立体
２０１  ベース本体
２０２  スイング機構
【図１】
0006892178.tif 000002
【図２】
0006892178.tif 000003
【図３】
0006892178.tif 000004
【図４】
0006892178.tif 000005
【図５】
0006892178.tif 000006
【図６】
0006892178.tif 000007